(57)【要約】      （修正有）【課題】採水ノズルを挿入する時に雑菌類がバッグ内に侵入する可能性を極力少なくして清潔な水を確保でき、また、ノズルの挿入位置を確認することができるウォーターサーバー用飲料水バッグを提供する。【解決手段】採水ノズルを備えたウォーターサーバーに飲料水を供給するための飲料水バッグであって、任意に選択された側面には剥離部２１を備えたシート２が剥離可能に貼付されており、該剥離部を剥離した部分に前記採水ノズルを刺してバッグ内に挿入し、採水することを特徴とするウォーターサーバー用飲料水バッグ１。【選択図】図１
0003187031.tif 000002
【実用新案登録請求の範囲】
【請求項１】
採水ノズルを備えたウォーターサーバーに飲料水を供給するための飲料水バッグであって、任意に選択された側面には剥離部を備えたシートが剥離可能に貼付されており、該剥離部を剥離した部分に前記採水ノズルを刺してバッグ内に挿入し、採水することを特徴とするウォーターサーバー用飲料水バッグ。
【請求項２】
前記シートには、前記剥離部の周縁からつまみ部を突出して設けていることを特徴とする請求項１に記載のウォーターサーバー用飲料水バッグ。
【請求項３】
前記シートは、周縁部に前記側面へ接着するための接着部が設けられ、該接着部の内側に前記剥離部を剥離可能に設け、接着部と剥離部の境界には易破断部が形成され、該易破断部において剥離部と接着部とが互いに切り離し可能に形成されていることを特徴とする請求項１または２に記載のウォーターサーバー用飲料水バッグ。
【請求項４】
前記シートが、少なくとも前記剥離部の裏側に更に保護シートを設け、該保護シートに対して前記剥離部が剥離可能に貼付されたた二層構造であることを特徴とする請求項１ないし３のいずれか１項に記載のウォーターサーバー用飲料水バッグ。
【請求項５】
前記シートには、バッグの交換手順や注意書、採水ノズルを刺す目印などの使用者にとって有益な情報や宣伝広告用のキャラクターや文字、図形等が表示されていることを特徴とする請求項１ないし４のいずれか１項に記載のウォーターサーバー用飲料水バッグ。
【考案の詳細な説明】
【技術分野】
【０００１】
本考案は、ウォーターサーバーに飲料水を供給するための袋状の飲料水バッグの構造に関するものである。
【背景技術】
【０００２】
従来、オフィス等で飲料水を提供するためのウォーターサーバーでは、ガロンタンクと呼ばれるボトル状の容器によりサーバーに水を供給し、容器が空になると新たなガロンタンクと交換することが行われていた。
【０００３】
しかしながら、かかる交換の手間がかかることや、空になった容器の保管場所を確保する必要があることから、最近では、もっと簡易にサーバーに飲料水を供給するために、使い捨ての袋状容器（飲料水バッグ）を用いるようになっている。
【０００４】
かかる袋状の飲料水バッグとして、ウォーターサーバーに装着するためのアタッチメントを備えたタイプ（特許文献１、２、３）と、かかるアタッチメントを有さずに、ウォーターサーバーの採水用ノズルの先端を本体に突き刺して袋内に挿入することにより採水するタイプ（特許文献４、５）の２種類が知られている。
【０００５】
これらの飲料水バッグは、上述のようなガロンタンクが有する課題は解決するものの、以下のような問題を有していた。すなわち、装着用のアタッチメントを備えたタイプは、各バッグ毎にアタッチメントを設ける必要があるため、コスト高になり、また、アタッチメント部分の不具合による水漏れ等も懸念される。
【０００６】
また、通常、飲料水バッグは保管および運搬時にはダンボール等の箱に収納されており、袋の外側にダンボールの紙粉などの埃が付着したり、箱からの取り出し時に触ることによって袋表面に雑菌等が付着する可能性がある。その上、アタッチメントを有さないタイプは袋本体に採水用ノズルを突き刺すため、かかる埃や雑菌類がノズルの挿入とともに袋内に侵入してしまうおそれがあった。
【０００７】
さらに、アタッチメントを有さないタイプでは、袋に何ら目印となるような表示がないため、使用者はどこに採水用ノズルを刺すべきが戸惑うなどの使用上の問題もあった。
【先行技術文献】
【特許文献】
【０００８】
【特許文献１】特開２００３−２０６０００
【特許文献２】特開２０１１−１７８４５５
【特許文献３】特開２０１２−３５８４５
【特許文献４】特開２０１０−１４３６３０
【特許文献５】特開２０１３−７９０８８
【考案の概要】
【考案が解決しようとする課題】
【０００９】
そこで本考案は、採水ノズルを挿入する時に雑菌類がバッグ内に侵入する可能性を極力少なくして清潔な水を確保でき、また、ノズルの挿入位置を確認することができるウォーターサーバー用飲料水バッグを提供することをその課題とするものである。
【課題を解決するための手段】
【００１０】
本考案は、上記課題を解決するものであり、採水ノズルを備えたウォーターサーバーに飲料水を供給するための飲料水バッグであって、任意に選択された側面には剥離部を備えたシートが剥離可能に貼付されており、該剥離部を剥離した部分に前記採水ノズルを刺してバッグ内に挿入し、採水することを特徴とするウォーターサーバー用飲料水バッグである。
【考案の効果】
【００１１】
本考案に係るウォーターサーバー用飲料水バッグは、無菌工程でシートを貼付し、採水ノズルを挿入する直前にかかるシートをバッグ本体より剥離するため、バッグに埃や雑菌類が付着する可能性が低く、採水ノズルとともにバッグ内に雑菌等が侵入するおそれがないため、飲料水を清潔に保つことができる。
【００１２】
また、本考案に係るウォーターサーバー用飲料水バッグは、剥離可能なシートに作業手順や採水ノズルを刺す目印などを表示すれば、使用者にとってより一層作業が容易になる。また、シートに宣伝広告等を表示することにより、飲料水バッグ１単体の商品価値を向上させることができる。
【００１３】
さらに、本考案に係るウォーターサーバー用飲料水バッグで、剥離可能なシートを剥離部と保護シートの二層構造としたものは、袋全体の素材・構造を変更する必要なく、採水ノズル挿入部分の強度を向上することができる。
【図面の簡単な説明】
【００１４】
【図１】本考案に係るウォーターサーバー用飲料水バッグの斜視図
【図２】本考案に係るウォーターサーバー用飲料水バッグの異なる実施態様のシール部の平面図
【図３】本考案に係るウォーターサーバー用飲料水バッグの異なる実施態様のシール部の使用状態を表す断面図
【考案を実施するための形態】
【００１５】
以下、本考案の包装容器を、図面に基づいて具体的に説明する。なお、本考案はこれら実施態様に何ら制約されるものではない。
【００１６】
図１は、本考案に係るウォーターサーバー用飲料水バッグの斜視図である。図に示すように、本考案の飲料水バッグ１は、合成樹脂フィルム等の柔軟性を有する材質により袋状に形成されており、内部に飲料水を封入することができる。以下に、本考案の飲料水バッグ１の構造について詳述する。
【００１７】
本実施態様の飲料水バッグ１は、本体の側面１１に剥離可能にシート２が貼付されている。シート２を貼付する側面１１を飲料水バッグ１のどの部分にするかについては、飲料水バッグ１の形状や飲料水バッグ１を収納するサーバー側の収納部形状等に合わせて、任意に選択すればよい。シート２は接着その他の公知の方法により、側面１１に剥離可能に貼付されており、使用時には、かかるシート２を剥離し、剥離した側面１１部分のいずれかに採水ノズルを刺してバッグ内に挿入すればよい。なお、シート２の剥離部２１の周縁からは、図のように舌片状のつまみ部２２を突出して設けてもよい。かかるつまみ部２２は側面１１に対して貼付されず、よって、シート２を側面１１から剥離するときには、かかるつまみ部２２を指で保持して容易に剥がすことができる。
【００１８】
シート２は、飲料水バッグ１を無菌状態で生産する工程において貼付される。これによりシート２の貼付部分は出荷後も無菌状態に保たれ、採水ノズルを挿入する直前にシート２を剥離することによって、採水ノズルに雑菌等が付着して飲料水バッグ１内へ侵入することを防ぐことができる。また、使用者は、シート２を剥離した部分に採水ノズルを刺せば良いため、飲料水バッグ１の交換作業において、採水ノズルをどこに刺せばよいか戸惑う心配がない。さらに、シート２には、使用者にとって有益な情報や宣伝広告等を表示しても良い。たとえば、バッグの交換手順や注意書、採水ノズルを刺す目印などを表示すれば、使用者にとってより一層作業が容易になり、好ましい。また、宣伝広告用のキャラクターや文字、図形などを印刷すれば、飲料水バッグ１単体の商品価値を向上させることができる。
【００１９】
シート２の材料は、包装袋用の合成樹脂製フィルムが好適に利用できる。具体的には、エチレンと特定のα−オレフインとを共重合して得られる低密度ポリエチレン樹脂を層構成に含む多層フィルムが挙げられる。多層フィルムの場合、基材フイルムとしては、ポリプロピレンフイルム（ＰＰ）、ナイロン（ＮＹ）、ポリエチレンテレフタレートフイルム（ＰＥＴ）、エチレン−ビニールアルコール共重合体（ＥＶＯＨ）、ポリビニルアルコール（ＰＶＡ）等のフィルムの他、塩化ビニリデンコートフイルム等が挙げられる。
【００２０】
また、シート２は無色透明の素材により形成しても良いが、貼付されている場所がより目立つように色付きの素材を使用しても良い。シート２は側面１１に対して剥離可能に貼付できればその貼付方法は限定されず、公知の接着方法等を採用することができる。
【００２１】
図２は、本考案の飲料水バッグ１のシート２部分の異なる実施態様である。この実施態様では、シート２の周縁部に側面１１へ接着固定するための接着部２４を設け、かかる接着部２４の内側に剥離部２１を剥離可能に設けている。接着部２４と剥離部２１の境界には易破断部２３が形成されており、かかる易破断部２３において、剥離部２１と接着部２４とは互いに切り離し可能に形成されている。
【００２２】
本態様のシート２は、先の実施態様と同様に飲料水バッグ１の側面１１に貼付されるが、採水ノズルを刺すときは、易破断部２３において接着部２４から切り離された剥離部２１のみを剥離する。このようにして、周りの接着部２４は側面１１に貼付されたまま残ることになるが、採水ノズルはこの環状の接着部２４の内側に刺せばよいため、使用者にとって採水ノズルを刺す目印となり、作業がより簡単になる。
【００２３】
また、シート２は、少なくとも剥離部２１の裏側に更に保護シート２５を設け、保護シート２５に対して剥離部２１が剥離可能に貼付された二層構造としても良い。図３は、図２の態様のシート２の裏側に保護シート２５を設け、剥離部２１を剥離してノズル３の先端を側面１１に対して突き刺した状態を表す。このように保護シート２５の上から飲料水バッグ１に採水ノズル３を突き刺すことにより、当該部分からの水漏防止効果が向上する。すなわち、バッグの素材や構造にもよるが、採水ノズルを刺した箇所からの水漏れが起こる場合があり、その対策としては、従来は、袋全体の素材・構造を変更する必要があった。しかしながら、本実施態様のように、採水ノズルを刺す箇所のみ保護シート２５を貼付することにより、袋全体の素材・構造を変更する必要なく、保護シート２５貼付部分の強度を向上することができる。これにより、既存の飲料水バッグについても簡易に水漏れ対策を行うことが可能となる。なお、かかる保護シート２５は、図１の態様のシート２に適用しても良い。
【００２４】
保護シート２５の材料は、包装袋用の合成樹脂製フィルムが好適に利用できる。具体的には、エチレンと特定のα−オレフインとを共重合して得られる低密度ポリエチレン樹脂を層構成に含む多層フィルムが挙げられる。多層フィルムの場合、基材フイルムとしては、ポリプロピレンフイルム（ＰＰ）、ナイロン（ＮＹ）、ポリエチレンテレフタレートフイルム（ＰＥＴ）、エチレン−ビニールアルコール共重合体（ＥＶＯＨ）、ポリビニルアルコール（ＰＶＡ）等のフィルムの他、塩化ビニリデンコートフイルム等が挙げられる。また、保護シート２５には、バッグの交換手順や注意書、採水ノズルを刺す目印などを印刷しても良い。  
【符号の説明】
【００２５】
１……飲料水バッグ
２……シート
３……採水ノズル
１１……貼付面
２１……剥離部
２２……つまみ部
２３……易破断部
２４……接着部
２５……保護シート
【図１】
0003187031.tif 000003
【図２】
0003187031.tif 000004
【図３】
0003187031.tif 000005